(57)【要約】【課題】マスクを使用するユーザに対して装着感を向上できる帯電粒子発生装置を提供することを目的とする。【解決手段】ユーザ１０５の顔面に配されるマスク状部材１００により覆われる帯電粒子発生装置１において、ユーザ１０５の口元１０５ａの両側方にそれぞれ配される第１筐体１０及び第２筐体２０と、第１筐体１０と第２筐体２０とを連結して前方に凸形状の連結部３０と、第１筐体１０及び第２筐体２０の少なくとも一方に収納されて帯電粒子を発生する帯電粒子発生装置１７と、マスク状部材１００に装着される取付部３５ａ、３５ｂとを備え、第１筐体１００に設けた開口部１２、１３を介してマスク状部材１００の内側に帯電粒子を放出する。【選択図】図４
2015153462.tif 000002
【特許請求の範囲】
【請求項１】
ユーザの顔面に配されるマスク状部材により覆われる帯電粒子発生装置において、
ユーザの口元の両側方にそれぞれ配される第１筐体及び第２筐体と、
第１筐体と第２筐体とを連結して前方に凸形状の連結部と、
第１筐体及び第２筐体の少なくとも一方に収納されて帯電粒子を発生する帯電粒子発生素子と、
マスク状部材に対して取り付けられる取付部とを備え、
第１筐体又は第２筐体に設けた開口部を介してマスク状部材の内側に帯電粒子を放出することを特徴とする帯電粒子発生装置。
【請求項２】
前記開口部が第１筐体又は第２筐体の内側の側面に設けられていることを特徴とする請求項１に記載の帯電粒子発生装置。
【請求項３】
前記取付部がマスク状部材に係合する雄型の面ファスナーにより形成され、第１筐体及び第２筐体の前面に設けられることを特徴とする請求項１または請求項２に記載の帯電粒子発生装置。
【請求項４】
ユーザの顔面に当接する緩衝部材を第１筐体及び第２筐体の背面に着脱可能に設けたことを特徴とする請求項１〜３のいずれかに記載の帯電粒子発生装置。
【請求項５】
前記連結部が塑性変形可能に形成され、ユーザに応じて前記凸形状が可変されることを特徴とする請求項１〜４のいずれかに記載の帯電粒子発生装置。
【発明の詳細な説明】
【技術分野】
【０００１】
本発明は、マスク等によって覆われる帯電粒子発生装置に関する。
【背景技術】
【０００２】
ユーザの顔面に配されるマスク等のマスク状部材により覆われ、イオン等の帯電粒子を発生する従来の帯電粒子発生装置は特許文献１に開示される。この帯電粒子発生装置はケーブルにより接続される本体部と操作部とを備えている。
【０００３】
本体部は可撓性の連結部により連結される第１筐体及び第２筐体を有している。第１筐体及び第２筐体にはイオンを発生するイオン発生素子が収納され、イオンを放出する開口部が下面に設けられる。また、第１筐体及び第２筐体の上端にはマスク状部材を挟むクリップが設けられる。操作部はユーザに携帯され、バッテリ及びイオン発生素子の駆動回路を収納して帯電粒子発生装置の操作を行う。
【０００４】
上記構成の帯電粒子発生装置において、クリップによりマスク状部材の上端を挟み、本体部がユーザの面前でマスク状部材の内面側に取り付けられる。これにより、第１筐体及び第２筐体がユーザの鼻の両側方に密着して配置される。操作部の操作によってイオン発生素子が駆動されると、本体部の下方のマスク状部材とユーザの顔面との間の空間に開口部を介してイオンが放出される。これにより、マスク状部材の内部の除菌を行うことができる。
【先行技術文献】
【特許文献】
【０００５】
【特許文献１】特開２０１３−１７５３１８号公報
【発明の概要】
【発明が解決しようとする課題】
【０００６】
しかしながら、上記従来の帯電粒子発生装置によると、第１筐体及び第２筐体がユーザの鼻の両側方に配置される。このため、帯電粒子発生装置がユーザの視界に入り、ユーザに圧迫感を生じさせる。また、ユーザが眼鏡を装着した際に眼鏡のフレームが本体部に接触し、眼鏡や帯電粒子発生装置の位置ずれが生じる。これらにより、帯電粒子発生装置の装着感が低下する問題があった。
本発明は、装着感を向上できる帯電粒子発生装置を提供することを目的とする。
【課題を解決するための手段】
【０００７】
上記目的を達成するために本発明の帯電粒子発生装置は、ユーザの顔面に配されるマスク状部材により覆われる帯電粒子発生装置において、ユーザの口元の両側方にそれぞれ配される第１筐体及び第２筐体と、第１筐体と第２筐体とを連結して前方に凸形状の連結部と、第１筐体及び第２筐体の少なくとも一方に収納されて帯電粒子を発生する帯電粒子発生素子と、マスク状部材に対して取り付けられる取付部とを備え、第１筐体又は第２筐体に設けた開口部を介してマスク状部材の内側に帯電粒子を放出することを特徴とする。
【０００８】
また本発明は、上記構成の帯電粒子発生装置において、前記開口部が第１筐体又は第２筐体の内側の側面に設けられていることを特徴とする。
【０００９】
また本発明は、上記構成の帯電粒子発生装置において、前記取付部がマスク状部材に係合する雄型の面ファスナーにより形成され、第１筐体及び第２筐体の前面に設けられることを特徴とする。
【００１０】
また本発明は、上記構成の帯電粒子発生装置において、前記取付部が前記連結部の前面に設けられていることを特徴とする。
【００１１】
また本発明は、上記構成の帯電粒子発生装置において、ユーザの顔面に当接する緩衝部材を第１筐体及び第２筐体の背面に着脱可能に設けたことを特徴とする。
【００１２】
また本発明は、上記構成の帯電粒子発生装置において、前記連結部の上下方向の長さが第１筐体及び第２筐体の上下方向の長さよりも小さいことを特徴とする。
【００１３】
また本発明は、上記構成の帯電粒子発生装置において、第１筐体及び第２筐体の一方に前記帯電粒子発生素子が収納されるとともに、他方にバッテリが収納され、前記連結部に内に前記帯電粒子発生素子と前記バッテリとを接続する配線が配されることを特徴とする。
【００１４】
また本発明は、上記構成の帯電粒子発生装置において、前記連結部が塑性変形可能に形成され、ユーザに応じて前記凸形状が可変されることを特徴とする。
【００１５】
また本発明は、上記構成の帯電粒子発生装置において、前記連結部を左右方向に伸縮可能に形成したことを特徴とする。
【００１６】
また本発明は、上記構成の帯電粒子発生装置において、第１筐体又は第２筐体に紐状部材を介して取り付けられるとともにマスク状部材を挟むクリップを設けたことを特徴とする。
【００１７】
また本発明は、上記構成の帯電粒子発生装置において、前記取付部は第１筐体の側端部及び第２筐体の側端部にそれぞれ設けられ、マスク状部材の両端を挟むクリップから成ることを特徴とする。
【００１８】
また本発明は、上記構成の帯電粒子発生装置において、前記連結部を第１筐体及び第２筐体に対して着脱可能に形成し、左右方向の長さの異なる複数の前記連結部を第１筐体と第２筐体との間に択一的に取り付け可能にしたことを特徴とする。
【発明の効果】
【００１９】
本発明によると、帯電粒子発生装置が取付部によりマスク状部材に取り付けられ、少なくとも一方に帯電粒子発生素子を収納した第１筐体及び第２筐体がユーザの口元の両側方に配される。この時、第１筐体と第２筐体とを連結する連結部がユーザの口部の前方に配される。このため、帯電粒子発生装置によりユーザの視界が遮られず、ユーザが装着した眼鏡と帯電粒子発生装置との接触を防止できる。従って、帯電粒子発生装置の装着性を向上することができる。
【図面の簡単な説明】
【００２０】
【図１】本発明の第１実施形態の帯電粒子発生装置を示す斜視図
【図２】本発明の第１実施形態の帯電粒子発生装置を示す背面図
【図３】本発明の第１実施形態の帯電粒子発生装置を示す上面図
【図４】本発明の第１実施形態の帯電粒子発生装置の分解斜視図
【図５】図２のＡ−Ａ断面図
【図６】図３のＢ−Ｂ断面図
【図７】本発明の第１実施形態の帯電粒子発生装置を装着した上面図
【図８】本発明の第１実施形態の帯電粒子発生装置を装着した斜視図
【図９】本発明の第１実施形態の帯電粒子発生装置を装着した正面図
【図１０】図９のＣ−Ｃ断面図
【図１１】本発明の第２実施形態の帯電粒子発生装置の連結部の分解斜視図
【図１２】本発明の第３実施形態の帯電粒子発生装置の斜視図
【発明を実施するための形態】
【００２１】
以下に本発明の実施形態を図面を参照して説明する。図１〜図３は第１実施形態の帯電粒子発生装置１の斜視図、背面図及び上面図を示している。帯電粒子発生装置１はユーザ１０５（図７参照）の鼻や口を含む顔面を覆うマスク１００（図７参照）に装着され、第１筐体１０、第２筐体２０及び連結部３０を備えている。
【００２２】
詳細を後述するように、第１筐体１０及び第２筐体２０はユーザ１０５（図７参照）の口元１０５ａの両側方にそれぞれ配され、連結部３０により連結される。第１筐体１０にはイオン発生素子１７（図４参照）が収納され、第２筐体２０にはバッテリ２２及び回路基板２３（図４参照）が収納される。
【００２３】
第１筐体１０及び第２筐体２０の背面には緩衝部材３６ａ、３６ｂが配される。緩衝部材３６ａ、３６ｂはシリコーン、エラストマ等の軟質樹脂や、スポンジ状の樹脂等のクッション性を有する部材により形成され、ユーザ１０５（図７参照）の顔面に当接する。
【００２４】
これにより、帯電粒子発生装置１の装着感を向上することができる。緩衝部材３６ａ、３６ｂは裏面に粘着剤が設けられ、第１筐体１０及び第２筐体２０に対して着脱可能になっている。これにより、緩衝部材３６ａ、３６ｂを取り外して洗浄することができる。
【００２５】
第１筐体１０及び第２筐体２０の前面には取付部３５ａ、３５ｂが固着される。取付部３５ａ、３５ｂはシート状の樹脂等から成り、マイクロブラスト加工等によってマスク１００（図７参照）に係合する雄型の面ファスナーが表面に形成される。これにより、取付部３５ａ、３５ｂがマスク１００（図７参照）に対して取り付けられる。尚、取付部３５ａ、３５ｂと同様の取付部を連結部３０の前面に設けてもよい。
【００２６】
第１筐体１０と第２筐体２０とを連結する連結部３０は可撓性部材により形成され、前方に凸形状に形成される。これにより、連結部３０はユーザ１０５の口部の前方に配される。連結部３０は上下方向の長さが第１筐体１０及び第２筐体２０の上下方向の長さよりも短い帯状に形成される。これにより、帯電粒子発生装置１の装着時に連結部３０が邪魔にならず、帯電粒子発生装置１の装着感を向上することができる。
【００２７】
連結部３０の内部にはワイヤ３１が設けられる。ワイヤ３１は軟鋼等の塑性変形可能な材料により形成され、ユーザ１０５に応じて連結部３０が所望の凸形状に可変される。
【００２８】
図４は帯電粒子発生装置１の分解斜視図を示している。連結部３０は第１筐体１０及び第２筐体２０に対して着脱可能に設けられ、両端に端子部３０ａ、３０ｂが設けられている。
【００２９】
端子部３０ａ、３０ｂは第１筐体１０及び第２筐体２０の上端に設けたコネクタ１０ｅ、コネクタ２０ｅにそれぞれ接続される。両方の端子部３０ａ、３０ｂ間は連結部３０の内部を通る配線により接続されている。
【００３０】
尚、左右方向の長さの異なる複数の連結部３０を設け、ユーザ１０５に応じて択一的に連結部３０を選択して取り付けてもよい。これにより、帯電粒子発生装置１の装着感を向上することができる。
【００３１】
第１筐体１０は背面側を開口する箱状の本体部１０ａと本体部１０ａの背面を覆う蓋部１０ｂとを有している。第１筐体１０内には帯電粒子であるイオンを発生するイオン発生素子１７が収納される。第１筐体１０の内側の側面１０ｃにはイオンを放出する開口部１２、１３（図６参照）が開口する。
【００３２】
第２筐体２０は第１筐体１０と同様に、背面側を開口する箱状の本体部２０ａと本体部２０ａの背面を覆う蓋部２０ｂとを有している。第２筐体２０内にはバッテリ２２及び回路基板２３が収納されている。
【００３３】
回路基板２３にはバッテリ２２を充電する充電端子２４が実装されている。また、回路基板２３には第２筐体２０の内側の側面に露出するスイッチ（不図示）が実装される。スイッチの操作によって帯電粒子発生装置１の電源のオン、オフが切り替えられる。
【００３４】
また、本体部２０ａの端部には取付穴２０ｃが設けられている。取付穴２０ｃには紐状部材２５を介してクリップ２６が設けられている。クリップ２６によりマスク１００の端部を挟むことで、取付部３５ａ、３５ｂがマスク１００から脱落した際に、帯電粒子発生装置１のマスク１００からの落下を防止することができる。なお、取付穴２０ｃは第１筐体１０に設けられてもよい。
【００３５】
図５、図６は図２のＡ−Ａ線断面図、図３のＢ−Ｂ線断面図を示している。第１筐体１０の内側の側面１０ｃには開口部１２、１３が上下に並設されている。なお、開口部１２、１３を格子状やメッシュ状に形成してもよい。
【００３６】
イオン発生素子１７には略後方に向って突出する針状の一対の放電電極１７ａ、１７ｂが設けられている。そして、放電電極１７ａ、１７ｂが開口部１２、１３に臨んで配されている。
【００３７】
放電電極１７ａには正電圧が印加され、コロナ放電により空気中の水分子が電離して生成される水素イオンが空気中の水分と結合して主としてＨ+（Ｈ2Ｏ）ｍから成るプラスイオンを発生する。放電電極１７ｂには負電圧が印加され、コロナ放電により空気中の酸素分子または水分子が電離して生成される酸素イオンが空気中の水分と結合して主としてＯ2-（Ｈ2Ｏ）ｎから成るマイナスイオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００３８】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ'、ｎ'は任意の自然数である。
【００３９】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ'＋Ｏ2-(Ｈ2Ｏ)ｎ＋Ｏ2-(Ｈ2Ｏ)ｎ'
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ'＋Ｏ2-(Ｈ2Ｏ)ｎ＋Ｏ2-(Ｈ2Ｏ)ｎ'
→ Ｈ2Ｏ2＋Ｏ2＋(ｍ＋ｍ'＋ｎ＋ｎ')Ｈ2Ｏ ・・・（３）
【００４０】
上記構成の帯電粒子発生装置１において、ユーザ１０５はクリップ２６によりマスク１００の端部を挟む。また、取付部３５ａ、３５ｂによりマスク１００の背面側に帯電粒子発生装置１をマスク１００に固定する。この時、面ファスナーを形成する取付部３５ａ、３５ｂがマスク１００の背面側と係合することで帯電粒子発生装置１がマスク１００に固定される。
【００４１】
尚、マスク１００は一般で市販されている安価な使い捨てのマスク１００でよい。また、マスク１００は水平方向に延びたプリーツ状に折り曲げられた形状やガーゼマスクのように綿織物を重ね合わせた形状でもよい。さらに、マスク１００は不織布マスクのように繊維を織らずに機械的、化学的手段等で繊維と繊維を絡ませた形状であってもよい。
【００４２】
図７〜図９は帯電粒子発生装置１の装着状態を示す上面図、斜視図、正面図を示している。また、図１０は図９のＣ−Ｃ断面図を示している。
【００４３】
マスク１００は耳かけ部１００ａによってユーザ１０５の顔面に装着される。これにより、帯電粒子発生装置１は前面をマスク１００に覆われ、マスク１００と顔面との間の空間１０６内に配置されている。この時、連結部３０はユーザ１０５の口部の前方に配される。
【００４４】
このため、帯電粒子発生装置１によりユーザ１０５の視界が遮られず、圧迫感を低減することができる。また、ユーザ１０５が眼鏡を装着した際に眼鏡と帯電粒子発生装置１との接触を防止することができる。従って、帯電粒子発生装置１の装着感を向上することができる。
【００４５】
尚、連結部３０はユーザ１０５の口部の前方であって鼻部と口唇との間に配されることが望ましいが、鼻尖点１０５ｂ（図７、図８、図１０参照）とオトガイ部１０５ｃ（図８、図９）との間に配置されていればよい。
【００４６】
ユーザ１０５がスイッチを操作して帯電粒子発生装置１が駆動されると、放電電極１７ａ、１７ｂにより生成されるプラスイオン及びマイナスイオンが開口部１２、１３を介して放出される。この時、ユーザ１０５の呼吸によりプラスイオン及びマイナスイオンがマスク１００内に拡散され、これにより、除菌や臭いの除去を行うことができる。
【００４７】
使用によりマスク１００の劣化や損傷が生じると、マスク１００から取り外した帯電粒子発生装置１を取り外し、新しいマスク１００に帯電粒子発生装置１を取り付ける。このため、ユーザ１０５の経済的な負担が軽減される。
【００４８】
本実施形態によると、帯電粒子発生装置１が取付部３５ａ、３５ｂによりマスク１００に取り付けられ、少なくとも一方にイオン発生素子（帯電粒子発生素子）１７を収納した第１筐体１０及び第２筐体２０がユーザ１０５の口元１０５ａの両側方に配される。
【００４９】
この時、第１筐体１０と第２筐体２０とを連結する連結部３０がユーザ１０５の口部の前方に配される。このため、帯電粒子発生装置１によりユーザ１０５の視界が遮られず、ユーザ１０５が装着した眼鏡と帯電粒子発生装置１との接触を防止できる。従って、帯電粒子発生装置１の装着性を向上することができる。
【００５０】
また、開口部１２、１３が第１筐体１０の内側の側面１０ｃに設けられているため、開口部１２、１３がマスク１００に覆われず、ユーザ１０５の面前に確実にイオンを供給することができる。
【００５１】
また、取付部３５ａ、３５ｂがマスク１００に係合する雄型の面ファスナーにより形成され、第１筐体１０及び第２筐体２０の前面に設けられたため、帯電粒子発生装置１を容易にマスク１００の所望位置に取り付けることができる。
【００５２】
また、ユーザ１０５の顔面に当接する緩衝部材３６ａ、３６ｂを第１筐体１０及び第２筐体２０の背面に着脱可能に設けたため、装着感を向上するとともに、緩衝部材３６ａ、３６ｂを取り換えて清潔な状態を保つことができる。
【００５３】
また、連結部３０が塑性変形可能に形成され、ユーザ１０５に応じて凸形状が可変されるため、装着性をより向上することができる。
【００５４】
＜第２実施形態＞
次に、図１１は第２実施形態の帯電粒子発生装置１の連結部３０の分解斜視図を示している。説明の便宜上、前述の図１〜図１０に示す第１実施形態と同様の部分には同一の符号を付している。本実施形態は第１実施形態に対して連結部３０の構造が異なっている。その他の部分は第１実施形態と同様である。
【００５５】
連結部３０は本体部３２、蓋部３３及び端子部３０ａ、３０ｂを有している。本体部３２は前方に凸形状に形成され、背面に左右に延びる溝部３２ｃが凹設される。溝部３２ｃの両側端の背面側は遮蔽部３２ａ、３２ｂにより覆われる。蓋部３３は左右方向に延びて本体部３２の背面に係合して取り付けられ、溝部３２ｃを覆う。
【００５６】
端子部３０ａ、３０ｂは内側に延びる延設部３０ｃ、３０ｄが設けられ、延設部３０ｃ、３０ｄの背面には複数の突起部３０ｅ、３０ｆがそれぞれ長手方向に並設される。延設部３０ｃ、３０ｄは本体部３２の両側端から溝部３２ｃ内に挿入される。延設部３０ｃ、３０ｄの突起部３０ｅ、３０ｆは遮蔽部３２ａ、３２ｂの内面に設けた複数の係合爪（不図示）のいずれかに係合する。
【００５７】
これにより、端子部３０ａ、３０ｂを所望の位置で本体部３２に固定することができ、連結部３０が本体部３２に対して左右方向に伸縮可能に形成される。従って、ユーザ１０５に応じて連結部３０の長さを可変し、帯電粒子発生装置１の装着感を向上することができる。
【００５８】
本実施形態によると、第１実施形態と同様の効果を奏することができる。また、連結部３０を左右方向に伸縮可能に形成したため、ユーザ１０５の所望する位置に帯電粒子発生装置１をマスク１００に取り付けることができる。
【００５９】
＜第３実施形態＞
次に、図１２は第３実施形態の帯電粒子発生装置１の斜視図を示している。説明の便宜上、前述の図１〜図１０に示す第１と同様の部分には同一の符号を付している。本実施形態は第１実施形態に対して第１筐体１０及び第２筐体２０に取付部３７ａ、３７ｂが設けられている点が異なっている。その他の部分は第１実施形態と同様である。
【００６０】
第１筐体１０の外側の側面１０ｄにはクリップから成る取付部３７ａが設けられている。また、第２筐体２０の外側の側面２０ｄにも同様にクリップから成る取付部３７ｂが設けられている。これにより、取付部３７ａ、３７ｂがマスク１００の両側端を挟んでマスク１００に対して取り付けられる。そして、帯電粒子発生装置１がマスク１００に装着される。尚、本実施形態において、面ファスナーから成る取付部３５ａ、３５ｂを省いてもよい。
【００６１】
本実施形態によると、第１実施形態と同様の効果を奏することができる。また、取付部３７ａ、３７ｂが第１筐体１０、第２筐体２０の両側端部の側面１０ｄ、側面２０ｄにそれぞれ設けられる。これにより、帯電粒子発生装置１をマスク１００に容易に装着することができる。また、取付部３７ａ、３７ｂを第１筐体１０、第２筐体２０の両側端部の前面に設けてもよい。
【００６２】
本実施形態において、第２実施形態と同様に連結部３０が左右方向に伸縮可能に形成されていてもよい。これにより、大きさの異なるマスク１００に帯電粒子発生装置１を取り付けることができる。このため、帯電粒子発生装置１の利便性がより向上する。
【００６３】
第１〜第３実施形態において、イオン発生素子１７によりイオンを発生しているが、冷却した電極上における結露等で集めた水に高電圧をかけることにより、霧状の帯電した水粒子からなる帯電粒子を発生してもよい。
【００６４】
また、マスク１００はマスク状部材であればよく、ネックウォーマーやマフラー等であってもよい。即ち、帯電粒子発生装置１がユーザ１０５の顔面に配されるマスク状部材に覆われている場合に、同様の効果を得ることができる。
【００６５】
また、バッテリ２２及び回路基板２３をユーザ１０５により携帯されるケース内に収納し、ケースを第１筐体１０にケーブルを介して接続してイオン発生素子１７に電力を供給してもよい。この時、第１筐体１０及び第２筐体２０内にそれぞれイオン発生素子１７を収納し、ユーザ１０５の口元１０５ａの両側方からイオンを放出してもよい。
【産業上の利用可能性】
【００６６】
本発明によると、マスク等によって覆われる帯電粒子発生装置に利用することができる。
【符号の説明】
【００６７】
１      帯電粒子発生装置
１０    第１筐体
１０ａ  本体部
１０ｂ  蓋部
１０ｃ  側面
１０ｄ  側面
１０ｅ  コネクタ
１２、１３    開口部
１７    イオン発生素子
１７ａ、１７b  放電電極
２０    第２筐体
２０ａ  本体部
２０ｂ  蓋部
２０ｃ  取付穴
２０ｄ  側面
２０ｅ  コネクタ
２２    バッテリ
２３    回路基板
２４    充電端子
２５    紐状部材
２６    クリップ
３０    連結部
３０ａ、３０ｂ  端子部
３０ｃ、３０ｄ  延設部
３０ｅ、３０ｆ  係合部
３１    ワイヤ
３２    本体部
３２ａ、３２ｂ  遮蔽部
３２ｃ  溝部
３３    蓋部
３５ａ、３５ｂ    取付部
３６ａ、３６ｂ      緩衝部材
３７ａ、３７ｂ      取付部（クリップ）
５１、５２    キャップ
１００    マスク
１００ａ  耳かけ部
１０５  ユーザ
１０５ａ  口元
１０５ｂ  鼻尖点
１０５ｃ  オトガイ部
１０６  空間
【図１】
2015153462.tif 000003
【図２】
2015153462.tif 000004
【図３】
2015153462.tif 000005
【図４】
2015153462.tif 000006
【図５】
2015153462.tif 000007
【図６】
2015153462.tif 000008
【図７】
2015153462.tif 000009
【図８】
2015153462.tif 000010
【図９】
2015153462.tif 000011
【図１０】
2015153462.tif 000012
【図１１】
2015153462.tif 000013
【図１２】
2015153462.tif 000014